(57)【要約】【課題】防犯効果をある程度維持しつつ製造コストを低減させることができるシリンダ錠の保護装置を提供する。【解決手段】シリンダ錠のキー孔Ｒａの上方に設けられるハウジング１と、ハウジング１内で回動することにより閉塞位置と開放位置との間で移動可能とされ、キー孔Ｒａを開閉するシャッター２と、シャッター２が開放位置にあるとき及び閉塞位置にあるとき、当該シャッター２に対して節度を付与する節度手段３と、シャッター２の所定部位に形成された嵌合凹部２ａに嵌合しつつ回動させることで、節度手段３による節度が付与された後に当該シャッター２を連れ回し操作可能とされ、開放位置と閉塞位置との間で移動させ得る操作手段６とを具備したシリンダ錠の保護装置において、シャッター２に対する回動の規制が専ら節度手段３によるものとされたことを特徴とするものである。【選択図】図２
2011219953.tif 000002
【特許請求の範囲】
【請求項１】
シリンダ錠のキー孔の上方に設けられるハウジングと、
該ハウジング内で回動することにより閉塞位置と開放位置との間で移動可能とされ、前記キー孔を開閉するシャッターと、
前記シャッターが開放位置にあるとき及び閉塞位置にあるとき、当該シャッターに対して節度を付与する節度手段と、
前記シャッターの所定部位に形成された嵌合凹部に嵌合しつつ回動させることで、前記節度手段による節度が付与された後に当該シャッターを連れ回し操作可能とされ、開放位置と閉塞位置との間で移動させ得る操作手段と、
を具備したシリンダ錠の保護装置において、
前記シャッターに対する回動の規制が専ら前記節度手段によるものとされたことを特徴とするシリンダ錠の保護装置。
【請求項２】
前記嵌合凹部は、多角形又は異形状に形成され、前記操作手段と形状が合致して嵌合可能とされたことを特徴とする請求項１記載のシリンダ錠の保護装置。
【請求項３】
前記節度手段は、前記シャッターが開放位置にあるときよりも閉塞位置にあるときの方が節度が大きく設定されたことを特徴とする請求項１又は請求項２記載のシリンダ錠の保護装置。
【請求項４】
前記シャッターは、所定の樹脂材を成形させた樹脂成形品から成ることを特徴とする請求項１〜３の何れか１つに記載のシリンダ錠の保護装置。
【発明の詳細な説明】
【技術分野】
【０００１】
本発明は、二輪車等に装備されるシリンダ錠の破壊等を防止し得るシリンダ錠の保護装置に関するものである。
【背景技術】
【０００２】
従来、第三者によるはさみやドライバ等のキー孔への差し込みで二輪車等のシリンダ錠がいたずらされて破壊されるのを防止するために、例えば特許文献１で開示されたシリンダ錠の保護装置が提案されている。かかる保護装置は、キー孔を閉状態とする閉塞位置から当該キー孔を開状態とする開放位置まで回動可能なシャッターと、シャッターを閉塞位置に保持することによりキー孔を閉塞して施錠するマグネット錠と、磁石の磁気によってマグネット錠を解錠するマグネットキーとを具備していた。
【０００３】
上記保護装置によれば、車両を駐車させる際、シャッターを閉塞位置にしてキー孔に対する第三者によるいたずら等を防止するとともに、車両のエンジンを始動させる際には、マグネットキーをマグネット錠に嵌合させつつ所定方向に回転操作することにより、当該マグネット錠を解錠させてシャッターを開放位置まで回動させることができ、キー孔にイグニッションキーを挿通可能な状態とすることができる。
【先行技術文献】
【特許文献】
【０００４】
【特許文献１】特開２０００−１０４４２６号公報
【発明の概要】
【発明が解決しようとする課題】
【０００５】
しかしながら、上記従来のシリンダ錠の保護装置においては、シャッターを閉塞位置に保持することによりキー孔を閉塞して施錠するマグネット錠と、磁石の磁気によってマグネット錠を解錠するマグネットキーとを具備していたので、防犯効果を高めることができるものの、製造コストが嵩んでしまうという問題があった。また、使用する地域の実情或いは使用者の意識等によっては、車両の駐車時にシャッターを閉塞位置として当該シャッターにてキー孔を塞ぐものとすれば、ある程度の防犯効果が期待できると考える場合がある。
【０００６】
本発明は、このような事情に鑑みてなされたもので、防犯効果をある程度維持しつつ製造コストを低減させることができるシリンダ錠の保護装置を提供することにある。
【課題を解決するための手段】
【０００７】
請求項１記載の発明は、シリンダ錠のキー孔の上方に設けられるハウジングと、該ハウジング内で回動することにより閉塞位置と開放位置との間で移動可能とされ、前記キー孔を開閉するシャッターと、前記シャッターが開放位置にあるとき及び閉塞位置にあるとき、当該シャッターに対して節度を付与する節度手段と、前記シャッターの所定部位に形成された嵌合凹部に嵌合しつつ回動させることで、前記節度手段による節度が付与された後に当該シャッターを連れ回し操作可能とされ、開放位置と閉塞位置との間で移動させ得る操作手段とを具備したシリンダ錠の保護装置において、前記シャッターに対する回動の規制が専ら前記節度手段によるものとされたことを特徴とする。
【０００８】
請求項２記載の発明は、請求項１記載のシリンダ錠の保護装置において、前記嵌合凹部は、多角形又は異形状に形成され、前記操作手段と形状が合致して嵌合可能とされたことを特徴とする。
【０００９】
請求項３記載の発明は、請求項１又は請求項２記載のシリンダ錠の保護装置において、前記節度手段は、前記シャッターが開放位置にあるときよりも閉塞位置にあるときの方が節度が大きく設定されたことを特徴とする。
【００１０】
請求項４記載の発明は、請求項１〜３の何れか１つに記載のシリンダ錠の保護装置において、前記シャッターは、所定の樹脂材を成形させた樹脂成形品から成ることを特徴とする。
【発明の効果】
【００１１】
請求項１の発明によれば、シャッターに対する回動の規制が専ら節度手段によるものとされたので、従来のマグネット錠の如き手段を必要とせず、防犯効果をある程度維持しつつシリンダ錠の保護装置の製造コストを低減させることができる。
【００１２】
請求項２の発明によれば、嵌合凹部は、多角形又は異形状に形成され、操作手段と形状が合致して嵌合可能とされたので、汎用の工具等を嵌合凹部に嵌合させるのを困難として第三者がシャッターを容易に開放位置に回動させてしまうのを防止することができ、防犯効果を高めることができる。
【００１３】
請求項３の発明によれば、節度手段は、シャッターが開放位置にあるときよりも閉塞位置にあるときの方が節度が大きく設定されたので、シャッターを閉塞位置に操作する際に必要な操作力を小さくして操作性を向上させることができるとともにシャッターを開放位置に操作する際に必要な操作力を大きくして防犯効果を高めることができる。
【００１４】
請求項４の発明によれば、シャッターは、所定の樹脂材を成形させた樹脂成形品から成るので、製造コストを更に低減させることができるとともに、シャッターをより軽量化させることができ、当該シャッターの回動操作をよりスムーズに行わせて操作性を向上させることができる。
【図面の簡単な説明】
【００１５】
【図１】本発明の実施形態に係るシリンダ錠の保護装置を示す正面図
【図２】（ａ）図１におけるＡ−Ａ線断面図（ｂ）同図におけるＢ−Ｂ線断面図
【図３】同シリンダ錠の保護装置におけるシャッターを示す平面図及び裏面図
【図４】同シリンダ錠の保護装置における節度手段を示すための断面図
【図５】同シリンダ錠の保護装置におけるイグニッションキー及び操作手段を示すための模式図
【図６】同シリンダ錠の保護装置における開放位置にあるシャッターを示す模式図
【図７】同シリンダ錠の保護装置における閉塞位置にあるシャッターを示す模式図
【図８】本発明の他の実施形態に係るシリンダ錠の保護装置におけるシャッターの嵌合凹部（八角形）を示す模式図
【図９】本発明の他の実施形態に係るシリンダ錠の保護装置におけるシャッターの嵌合凹部（異形）を示す模式図
【発明を実施するための形態】
【００１６】
以下、本発明の実施形態について図面を参照しながら具体的に説明する。
本実施形態に係るシリンダ錠の保護装置は、二輪車が具備するシリンダ錠のキー孔上方に設けられ、該キー孔を外側から開閉可能とすることによりシリンダ錠を保護し得るもので、図１〜５に示すように、ケース１ａ及びカバー１ｂで構成されるハウジング１と、シャッター２と、コイルスプリング４及びアクションボール５で構成された節度手段３と、操作手段６（図５参照）とから主に構成されている。
【００１７】
ケース１ａは、ダイカスト成形品から成るものであり、図２に示すように、車両のシリンダ錠Ｓを挿通し、その内部のロータＲに形成されたキー孔Ｒａを上方に臨ませ得る挿通孔１ａａが略中央に形成されるとともに、その近傍に平面視で円形状とされた凸部１ａｂが形成されている。凸部１ａｂは、その外周面でシャッター２の凹部２ｂを回動自在に嵌合し得るよう構成されている。尚、凸部１ａｂと凹部２ｂとの間にＯリング等のシール部材を介装させるのが好ましい。
【００１８】
カバー１ｂは、所定のダイカスト成形品から成り、ケース１ａの上面側を覆って該ケース１ａとの間に形成される内部空間にシャッター２等シリンダ錠の保護装置の構成部品を収容するためのもので、挿通孔１ａａと対応した位置に形成されてイグニッションキーＩＫのキー部ＩＫａ（図５参照）をキー孔Ｒａに挿通させ得る孔１ｂａと、シャッター２の嵌合凹部２ａを外部に臨ませ得る孔１ｂｂとが形成されている。
【００１９】
シャッター２は、凸部１ａｂを中心としてハウジング１内（ケース１ａ及びカバー１ｂの間の空間内）で回動することにより閉塞位置（図７参照）と開放位置（図６参照）との間で移動可能とされ、キー孔Ｒａを開閉するものである。このシャッター２には、上述したように嵌合凹部２ａと、凹部２ｂとが形成されるとともに、節度手段３のアクションボール５が嵌合し得る節度用凹部ａ、ｂ（図３参照）がそれぞれ形成されている。尚、シャッター２全体の形状は、ハウジング１全体の形状及び大きさや、他の構成要素のレイアウト等により任意に変更することができる。
【００２０】
尚、シャッター２は、金属製のものが好ましいが、所定の樹脂材を成形させた樹脂成形品から成るものとしてもよい。この場合、シャッター２の製造コストを更に低減させることができるとともに、シャッター２をより軽量化させることができ、当該シャッター２の回動操作をよりスムーズに行わせて操作性を向上させることができる。また、樹脂成形品から成るシャッター２とした場合、色や質感を金属製のものと類似させるのが防犯上好ましい。
【００２１】
節度手段３は、コイルスプリング４で常時シャッター２側に付勢されたアクションボール５で構成されており、シャッター２が開放位置にあるとき及び閉塞位置にあるとき、アクションボール５が節度用凹部ａ又はｂに嵌合することにより当該シャッター２に対して節度を付与するためのものである。即ち、シャッター２が開放位置にあるとき、図６に示すように、アクションボール５の位置に節度用凹部ａが位置するよう設定されており、節度用凹部ａにアクションボール５が嵌合（図４（ａ）参照）した状態とされるとともに、シャッター２が閉塞位置にあるとき、図７に示すように、アクションボール５の位置に節度用凹部ｂが位置するよう設定されており、節度用凹部ｂにアクションボール５が嵌合（図４（ｂ）参照）した状態とされるのである。
【００２２】
ここで、本実施形態に係る節度手段３は、シャッター２が開放位置にあるときよりも閉塞位置にあるときの方が節度が大きく設定されている。具体的には、節度用凹部ａの深さｔ１が節度用凹部ｂの深さｔ２より浅く形成（節度用凹部ｂの深さｔ２が節度用凹部ａの深さｔ１より深く形成）されており、アクションボール５の嵌合力（節度）がシャッター２の開放位置よりも閉塞位置の方が大きくなるよう設定されているのである。
【００２３】
而して、シャッター２を開放位置から閉塞位置に回動操作する際に必要とされる操作力が当該シャッター２を閉塞位置から開放位置に回動操作する際に必要とされる操作力より小さくすることができるので、開放位置から閉塞位置への動作をスムーズに行わせることができる。その一方、シャッター２を閉塞位置から開放位置に回動操作する際に必要とされる操作力が当該シャッター２を開放位置から閉塞位置に回動操作する際に必要とされる操作力より大きくすることができるので、閉塞位置から開放位置への動作に所定の規制を図ることができる。
【００２４】
一方、イグニッションキーＩＫは、キー山が形成されるとともにロータＲのキー孔Ｒａに挿通可能とされたキー部ＩＫａと、該キー部ＩＫａの基端側に形成された樹脂製部品から成り操作者が把持可能な把持部ＩＫｂ（所謂マスコット部）とから主に構成されており、本実施形態においては、当該把持部ＩＫｂに一体成形にて操作手段６が形成されている。尚、本実施形態においては、操作手段６がイグニッションキーＩＫの把持部ＩＫｂに一体成形された部位とされているが、当該イグニッションキーＩＫとは別個のものとしてもよい。
【００２５】
かかる操作手段６は、その外輪郭形状がシャッター２の嵌合凹部２ａの形状と略等しく形成されており、当該嵌合凹部２ａと合致し得るようになっている。即ち、嵌合凹部２ａは、多角形（本実施形態においては六角形）に形成され、操作手段６と形状が合致して嵌合可能とされている。そして、シャッター２に形成された嵌合凹部２ａに操作手段６を嵌合しつつ回動させることで、節度手段３による節度が付与された後に当該シャッター２を連れ回し操作可能とされ、開放位置と閉塞位置との間で移動させ得るよう構成されている。
【００２６】
然るに、シャッター２を開放位置から閉塞位置に回動する場合、操作手段６を嵌合凹部２ａに合致させて嵌合し、所定方向（本実施形態においては半時計周り）に回転操作する。これにより、アクションボール５が節度用凹部ａから外れてコイルスプリング４の付勢力に抗して下方に移動されるので、これに伴って節度が付与されることとなる。その後、シャッター２が閉塞位置に達すると、図４（ｂ）及び図７に示すように、節度用凹部ｂにアクションボール５が嵌り込むこととなり、シャッター２を閉塞位置にて比較的強固に維持させ得るものとされる。
【００２７】
反対に、シャッター２を閉塞位置から開放位置に回動する場合、操作手段６を嵌合凹部２ａに合致させて嵌合し、所定方向と逆方向（本実施形態においては時計周り）に回転操作する。これにより、アクションボール５が節度用凹部ｂから外れてコイルスプリング４の付勢力に抗して下方に移動されるので、これに伴って節度が付与されることとなる。その後、シャッター２が開放位置に達すると、図４（ａ）及び図６に示すように、節度用凹部ａにアクションボール５が嵌り込むこととなり、シャッター２を開放位置にて比較的弱い力にて維持させ得るものとされる。
【００２８】
即ち、シャッター２に対する回動の規制が専ら節度手段３によるものとされており、マグネット錠の如き別個の施錠手段が配設されていないものとされている。マグネット錠の如き別個の施錠手段がなくても、キー孔Ｒａをシャッター２で覆って第三者からのいたずらを回避することができるとともに、あたかも施錠してある如き状態とすることができ、防犯効果をある程度維持することができる。
【００２９】
本実施形態によれば、シャッター２に対する回動の規制が専ら節度手段３によるものとされたので、従来のマグネット錠の如き手段を必要とせず、防犯効果をある程度維持しつつシリンダ錠の保護装置の製造コストを低減させることができる。更に、節度手段３は、シャッター２が開放位置にあるときよりも閉塞位置にあるときの方が節度が大きく設定されたので、シャッター２を閉塞位置に操作する際に必要な操作力を小さくして操作性を向上させることができるとともにシャッター２を開放位置に操作する際に必要な操作力を大きくして防犯効果を高めることができる。
【００３０】
また、嵌合凹部２ａは、多角形（六角形）に形成され、操作手段６と形状が合致して嵌合可能とされたので、汎用の工具等を嵌合凹部２ａに嵌合させるのを困難として第三者がシャッター２を容易に開放位置に回動させてしまうのを防止することができ、防犯効果を高めることができる。尚、嵌合凹部２ａに代え、図８に示すように、八角形の嵌合凹部２ａ’としたり或いは他の多角形の嵌合凹部とすることができるとともに、図９に示すように、異形状の嵌合凹部２ａ”とすることができる。
【００３１】
以上、本実施形態について説明したが、本発明はこれに限定されるものではなく、節度手段を他の形態のものとしてもよい。例えばコイルスプリング４に代えて他の付勢手段（板バネやゴムなどの弾性部材等）としたり或いはアクションボール５に代えてピン状部材としてもよい。更には、本実施形態においては、シャッター２に形成された節度用凹部ａ、ｂにアクションボール５が嵌合して節度が付与される構成とされているが、シャッター２が開放位置にあるとき及び閉塞位置にあるとき、当該シャッター２に対して節度を付与し得るものであれば、他の形態のものとしてもよい。
【産業上の利用可能性】
【００３２】
シャッターに対する回動の規制が専ら節度手段によるものとされたシリンダ錠の保護装置であれば、外観形状が異なるもの或いは他の機能が付加されたもの等にも適用することができる。
【符号の説明】
【００３３】
１  ハウジング
２  シャッター
２ａ  嵌合凹部
３  節度手段
４  コイルスプリング
５  アクションボール
６  操作手段
Ｒａ  キー孔
【図１】
2011219953.tif 000003
【図２】
2011219953.tif 000004
【図３】
2011219953.tif 000005
【図４】
2011219953.tif 000006
【図５】
2011219953.tif 000007
【図６】
2011219953.tif 000008
【図７】
2011219953.tif 000009
【図８】
2011219953.tif 000010
【図９】
2011219953.tif 000011